(57)【要約】【課題】捕捉した塵埃が集塵部外に出るのを抑制できる吸込み口体を提供する。【解決手段】吸込み口体主部２０は、下面に集塵開口２８を有しているとともに、集塵開口２８の上方に第１連通口３１ａを有している。回転清掃体２２は集塵開口２８に臨んで配置されている。集塵カップ２４は、第２連通口２４ａを第１連通口３１ａと対向させた姿勢で吸込み口体主部２０に取外し可能に取付けられている。吸込み口体主部２０には、回転清掃体２２が掻き上げる塵埃を集塵開口２８の後側縁部２８ａから集塵カップ２４に導く傾斜壁３２が設けられている。集塵カップ２４には、傾斜壁３２と連なるように集塵カップ２４の内側に延びるガイド斜壁３３が設けられている。【選択図】　　図４
2004057364.tif 000002
【特許請求の範囲】
【請求項１】
下面に集塵開口を有しているとともに、この集塵開口の上方に第１連通口を有している吸込み口体主部と、
前記集塵開口に臨んで配置された回転清掃体と、
第２連通口を有しているとともに、この第２連通口を前記第１連通口と対向させた姿勢で前記吸込み口体主部に取外し可能に取付けられた集塵部と、を備えており、
前記吸込み口体主部に、前記回転清掃体が掻き上げる塵埃を前記集塵開口の開口縁から前記集塵部に導く傾斜壁が設けられているとともに、前記集塵部に、前記傾斜壁に連なるように前記集塵部の内側に延びるガイド斜壁が設けられている吸込み口体。
【請求項２】
前記ガイド斜壁が、前記第２連通口の縁部に、前記傾斜壁と同様に傾斜して前記第２連通口を開く開き位置と、前記第２連通口を閉じる閉じ位置とにわたって回動自在に連結されている請求項１に記載の吸込み口体。
【請求項３】
前記第２連通口は、前記集塵部を前記吸込み口体主部に取付けた時に、前記回転清掃体の長手方向中央部に対応する位置に設けられており、前記第２連通口の長手方向の長さは、前記回転清掃体の長さの２分の１以上に設定されている請求項１または２に記載の吸込み口体。
【請求項４】
吸込み口体主部に、この主部の集塵開口から集塵部を経て排気される気流を形成する送風部を内蔵した請求項１〜３の内のいずれか１項に記載の吸込み口体を備えている電気掃除機。
【発明の詳細な説明】
【０００１】
【発明の属する技術分野】
本発明は、被清掃面上の塵埃を取り込む吸込み口体、及び、この吸込み口体を備えた電気掃除機に関する。
【０００２】
【従来の技術】
電気掃除機に具備される吸込み口体には、通常の掃除機本体と同等に集塵室を備えて構成されたものがあり、吸込み口体主部、回転清掃体、集塵部、及び、回転清掃体を回転駆動させるモータ等を有する。
【０００３】
吸込み口体主部の下面には、塵埃を取り込む集塵開口が設けられている。吸込み口体主部の内部には、集塵開口の両端部に位置して一対の清掃体支持部が設けられている。回転清掃体は、その両端部を一対の支持部により回転自在に支持されて、集塵開口に臨んで配置されている。回転清掃体は、集塵口部の後側開口縁の下側から上側に向けて塵埃を掻き上げるように回転する。
【０００４】
回転清掃体を収納する収納室は、集塵開口の上方、且つ、収納室の幅方向一側部に位置する第１連通口を有している。一方、中空状に形成された集塵部には、この集塵部の幅方向一端部に位置して第２連通口が設けられている。集塵部は、第２連通口を吸込み口体主部の第１連通口と対向させて、吸込み口体主部に取外し可能に取付けられている。回転清掃体を収納する収納室と集塵部の内部とは、第１連通口及び第２連通口を介して連通している。
【０００５】
また、集塵開口の後側開口縁からは、吸込み口体主部の内部側に斜めに立ち上がるように形成された傾斜壁が設けられている。この傾斜壁は、集塵開口の後側開口縁と第１連通口とを繋いでいる。
【０００６】
この吸込み口体では、回転清掃体の回転により、被清掃面上の塵埃を後方に掻き上げることで集塵する。つまり、掻き上げられた塵埃は、吸込み口体主部の傾斜壁に沿って導かれながら上方に移動し、第１連通口及び第２連通口を通過して集塵部で捕捉される。集塵部で捕捉された塵埃は、集塵部を吸込み口体主部から取外して廃棄する。
【０００７】
【発明が解決しようとする課題】
しかし、従来の吸込み口体では、集塵部を取外す際等に第２連通口が下方に向くと、捕捉された塵埃、特に第２連通口付近に留まっている塵埃が、第２連通口から不用意に集塵部外へ出易い。
【０００８】
本発明が解決しようとする課題は、捕捉した塵埃が集塵部外に不用意に出るのを抑制できる吸込み口体、及び、この吸込み口体を備えた電気掃除機を得ることにある。
【０００９】
【課題を解決するための手段】
前記課題を解決するために、請求項１に係る発明の吸込み口体は、回転清掃体が掻き上げる塵埃を集塵開口の開口縁から取外し可能な集塵部に導く傾斜壁を吸込み口体主部に設けるとともに、傾斜壁に連なるように集塵部の内側に延びるガイド斜壁を集塵部に設けている。
【００１０】
この吸込み口体によれば、傾斜壁に誘導されて第２連通口に運ばれた塵埃は、さらに、傾斜壁に連なるように集塵部の内側に延びるガイド斜壁に誘導されて、集塵部の奥側に入り込む。したがって、集塵部内の塵埃が第２連通口付近に留まり難く、しかも、集塵部を取外す際等、第２連通口が下方を向いても、第２連通口を通って集塵部外に出ようとする集塵部内の集塵をガイド斜壁により遮ることができる。
【００１１】
【発明の実施の形態】
以下、図１〜図４を参照して本発明の第１実施形態を説明する。
【００１２】
この電気掃除機１ａは、例えばスティック型のものであり、操作部１０及び吸込み口体１５ａ等を備えている。
【００１３】
図１に示すように、操作部１０の一端部には、各種の手元操作スイッチ１１ａを有するハンドル１１が設けられている。また、この操作部１０には、コードリール収容部１２が設けられており、このコードリール収容部１２の内部に、先端部にプラグを有する電源コードを巻取り及び繰出し可能なコードリール（図示せず）が収容されている。
【００１４】
この電気掃除機１ａは、この電源コードを介してＡＣ電源から電力が供給される。なお、コードリールを省略してバッテリーを搭載してもよい。また、コードリール収容部１２には排気口１３が設けられている。操作部１０の他端部には、硬質な管からなる延長管１４が設けられている。
【００１５】
吸込み口体１５ａは、吸込み口体主部２０、回転清掃体２２、集塵部としての集塵カップ２４、連結管２６、及び、電動送風機６０等を備えている。
【００１６】
吸込み口体主部２０は、図１及び図２等に示すように、上面が開放するケース部２０ａと、このケース部２０ａを上側から被嵌するカバー部２０ｂとを備えている。
【００１７】
ケース部２０ａは、図３に示すように、第１収容部２１ａと第２収容部２１ｂとを有している。第２収容部２１ｂには、集塵開口２８の両端部に位置して一対の清掃体支持部２９が設けられているとともに、第１収容部２１ａには、後端部に位置して連結管支持部３０が収容されている。
【００１８】
吸込み口体主部２０の下面、すなわち、ケース部２０ａの第２収容部２１ｂの下面には、図２〜図４に示すように、集塵開口２８が設けられている。この集塵開口２８は、第２収容部２１ｂの幅方向と略平行な細長い矩形状をなしている。
【００１９】
回転清掃体２２は、回転軸２３の両端部を前記清掃体支持部２９により回転自在に支持されて、集塵開口２８に臨んで第２収容部２１ｂに配置されている。この回転清掃体２２は、例えばブラシ毛が回転軸２３を中心として放射状に密に配置された回転清掃体や、軟質素材からなる１枚あるいは複数枚の帯状のブレード２７が回転軸２３を中心として例えば螺旋状或いは放射状に取付けられた回転清掃体等を好適に用いることができる。
【００２０】
回転清掃体２２として、軟質素材からなる１枚以上の帯状のブレード２７が回転軸２３に取付けられた回転清掃体を用いる場合、図４（Ａ）に示すように、この回転清掃体２２の半径（回転清掃体２２の回転軸２３の中心Ｏからブレード２７の先端部までの距離）ｌ１（ｍｍ）は、回転清掃体２２の回転軸２３の中心Ｏから被清掃面Ｆまでの距離ｌ２（ｍｍ）に対して、
ｌ２−０．２５ｍｍ≦ｌ１≦ｌ２　　……（１）
の関係となるように設定するのが好ましい。（１）式のように設定することにより、綿埃等の比較的軽量な塵埃だけでなく、砂等の比較的重量のある塵埃も良好に掻き上げることができる。しかも、フローリングのような硬質の床面が被清掃面Ｆであっても、ブレード２７と被清掃面Ｆとの接触による音の発生を抑制できる。
【００２１】
また、この吸込み口体１５ａでは、回転清掃体２２の回転方向は、図４（Ａ）に矢印Ｘで示すように、紙面手前側から見て右回りである。すなわち、回転清掃体２２は、集塵開口２８の後側開口縁２８ａの下側から上側に向けて塵埃を掻き上げるように進行方向に対して順方向に回転する。
【００２２】
吸込み口体主部２０のケース部２０ａには、図４（Ａ）に示すように、回転清掃体２２が掻き上げる塵埃を集塵開口２８の後側開口縁２８ａから集塵カップ２４に導く傾斜壁３２、すなわち後側開口縁２８ａと第１連通口３１ａとを繋ぐ傾斜壁３２が形成されている。
【００２３】
吸込み口体主部２０の上方、すなわち、カバー部２０ｂの上方には、図２に示すように、このカバー部２０ｂの前端に寄せて集塵カップ取付け部Ｓが設けられている。カバー部２０ｂには、図２及び図４に示すように、集塵カップ取付け部Ｓの前端部には第１連通口３１ａが設けられているとともに、集塵カップ取付け部Ｓの後端部には第３連通口３１ｂが設けられている。第１連通口３１ａは、回転清掃体２２の長手方向中央部に対応する位置に設けられており、その長手方向の長さは、回転清掃体２２の長さＬ１の２分の１以上に設定されている。
【００２４】
中空状に形成された集塵カップ２４は、図１及び図４に示すように、その下面の前端に位置して第２連通口２４ａが設けられているとともに、後端部に第４連通口２４ｂが設けられている。第２連通口２４ａは、後述するように集塵カップ２４を吸込み口体主部２０に取付けた時に、回転清掃体２２の長手方向中央部に対応する位置に設けられており、その長手方向の長さＬ２は、回転清掃体２２の長さＬ１の２分の１以上に設定されている（図２参照）。
【００２５】
集塵カップ２４の第４連通口２４ｂには、図２及び図４に示すように、フィルタ２５が設けられている。集塵カップ２４は、第２連通口２４ａを吸込み口体主部２０の第１連通口３１ａと対向させるとともに、第４連通口２４ｂを吸込み口体主部２０の第３連通口３１ｂと対向させるようにして、集塵カップ取付け部Ｓ上に配置されて、カバー部２０ｂに取外し可能に取付けられている。
【００２６】
回転清掃体２２を収容する第２収容部２１ｂと集塵カップ２４の内部とは、第１連通口３１ａ及び第２連通口２４ａを介して連通しているとともに、第１収容部２１ａと集塵カップ２４の内部とは、第３連通口３１ｂ、フィルタ２５、及び、第４連通口２４ｂを介して連通している。
【００２７】
また、図４（Ａ）（Ｂ）に示すように、集塵カップ２４には、傾斜壁３２に連なるように集塵カップ２４の内側に延びるガイド斜壁３３が設けられている。ガイド斜壁３３は、第２連通口２４ａと対向し、且つ、集塵カップ２４の内側に延びる固定された壁とすることもできるが、ガイド斜壁３３は、第２連通口２４ａの縁部に、傾斜壁３２と同様に傾斜して第２連通口２４ａを開く開き位置と、第２連通口２４ａを閉じる閉じ位置とにわたって回動自在に連結することにより設けるのが好ましい。
【００２８】
この吸込み口体１５ａでは、ガイド斜壁３３は、例えば、ヒンジ３７と、このヒンジ３７により回動自在に取付けられる開閉板とにより構成されるものを取付けることで設けている（図４（Ａ）及び（Ｂ）参照）。このガイド斜壁３３は、吸引力が作用して吸込み口体１５ａ内の負圧が大きくなると開き位置（図４（Ａ）に示す）となり、集塵カップ２４を吸込み口体主部２０から取外し、第２連通口２４ａを下方に向けると自重により閉じ位置（図４（Ａ）に二点鎖線で示す）となる。
【００２９】
なお、ガイド斜壁３３は、例えば、ヒンジと、このヒンジにより取付けられて回動する開閉板と、この開閉板を閉じ位置に付勢するばねとを備えて構成されるものを取付けることで設けてもよい。このようにすることにより、ガイド斜壁３３は、吸込み口体１５ａ内の負圧が消失ないし小さい状態では閉じ位置、吸引力が作用して吸込み口体１５ａ内の負圧が大きくなると開き位置に移動される。
【００３０】
ガイド斜壁３３は、第２連通口２４ａを閉じるように取付けられて、吸込み口体１５ａ内の負圧が大きくなると集塵カップ２４の内側に回動して第２連通口２４ａを開く例えばゴム等の弾性素材からなる板体を取付けることで設けてもよく、或いは、制御装置で通電が制御されるソレノイド及びこのソレノイドを介して往復移動されて第２連通口２４ａを開閉するガイド斜壁３３としてのシャッター等を備えて構成されるものを取付けることで設けてもよい。
【００３１】
ガイド斜壁３３は、開き位置において、ガイド斜壁３３と集塵開口２８とのなす角度が傾斜壁３２と集塵開口２８とのなす角度よりも大きくなるように取付けてもよいが、その角度の大きさによっては、塵埃がガイド斜壁３３に遮られて、集塵カップ２４内に入り込み難くなるおそれがある。したがって、ガイド斜壁３３は、開き位置において、傾斜壁３２と同じ傾斜角となるように取付けるか、或いは、開き位置において、ガイド斜壁３３と集塵開口２８とのなす角度が傾斜壁３２と集塵開口２８とのなす角度よりも小さくなるようにして取付けるのが好ましい。
【００３２】
さらに、ガイド斜壁３３は、第２連通口２４ａよりも集塵カップ２４ａの内部側に後退させて設けることができる。しかし、開き位置において、ガイド斜壁３３の表面と傾斜壁３２の表面との間に段差があると、塵埃がガイド斜壁３３と傾斜壁３２との間に滞ってしまうおそれがある。そのため、塵埃を集塵カップ２４内に良好に導くためには、ガイド斜壁３３は、図４（Ａ）に示すように、開き位置において、傾斜壁３２の上端にこの傾斜壁３２と同じ傾斜で面一的に連続して集塵カップ２４の奥側に延びるように取付けるのが好ましい。
【００３３】
連結管２６は、図３に示すように、その一端部が連結管支持部３０により回動自在に支持されており、他端部側が吸込み口体主部２０の外方に延出している。この連結管２６の他端部は、操作部１０の延長管１４の一端部と着脱自在に連結される。また、これらを連結することにより、操作部１０と吸込み口体１５ａとは電気的にも接続される。
【００３４】
電動送風機６０は、図３に示すように、ケース部２０ａの第１収容部２１ａに収容されている。この電動送風機６０はモータ６２と送風部６１とを有している。送風機６１は、ファン６１ａ及びこのファン６１ａが収容されたファンカバー部６１ｂを有しており、符号６１ｃはファンカバー６１ｂの吸気口を示している。
【００３５】
モータ６２は、送風部６１を回転駆動させて、集塵開口２８から集塵カップ２４を経て排気口１３から排気される気流を形成するとともに、回転清掃体２２を回転駆動させる。すなわち、この電気掃除機１ａでは、１つのモータ６２で、塵埃を吸込む気流を形成することができるとともに、回転清掃体２２を回転させることができる。また、モータ６２には、ベルトプーリ６３ａを有する回転軸６３が設けられている。
【００３６】
この吸込み口体１５ａでは、図３に示すように、モータ６２の回転軸６３に取付けられたベルトプーリ６３ａと回転清掃体２２の回転軸２３に取付けられたベルトプーリ２３ａとが一直線上に位置していない。そのため、ケース部２０ａの第２収容部２１ｂには、集塵開口２８に隣接して、ケース部２０ａの幅方向と略平行な回転軸３４が取付けられている。この回転軸３４の一端部にはモータ６２の回転軸６３に取付けられたベルトプーリ６３ａと一直線上となる位置にベルトプーリ３４ａが取付けられており、他端部には回転清掃体２２の回転軸２３に取付けられたベルトプーリ２３ａと一直線上となる位置にベルトプーリ３４ｂが取付けられている。そして、ベルトプーリ６３ａとベルトプーリ３４ａとの間にベルト３５を掛け渡すとともに、ベルトプーリ２３ａとベルトプーリ３４ｂとの間にベルト３６を掛け渡している。
【００３７】
これにより、モータ６２の回転運動が、回転軸６３、ベルトプーリ６３ａ、ベルト３５、ベルトプーリ３４ａ、回転軸３４、ベルトプーリ３４ｂ、ベルト３６、ベルトプーリ２３ａ、回転軸２３の順で伝達されて、回転清掃体２２は回転軸２３を中心として回転する。
【００３８】
前記構成を備える電気掃除機１ａでは、以下のようにして被清掃面Ｆの清掃を行なう。
【００３９】
操作部１０のから電源コードを引き出して商用交流電源に接続し、ハンドル１１の手元操作スイッチ１１ａ、及び、モータ６２等に夫々電力を供給する。その後、手元操作スイッチ１１ａを操作してモータ６２を駆動させる。
【００４０】
モータ６２を駆動させると、集塵開口２８、ケース部２０ａの第２収容部２１ｂ、第１連通口３１ａ、第２連通口２４ａ、集塵カップ２４、第４連通口２４ｂ、フィルタ２５、第３連通口３１ｂを通って、第１収容部２１ａに収容された送風部６１に吸込まれる気流が形成される。これにより、ガイド斜壁３３は開き位置に配置されて、第２連通口２４ａと対向するとともに、傾斜壁３２の上方に延びるように連続して連なる。また、同時に、回転清掃体２２が回転する。
【００４１】
ハンドル１１を操作して吸込み口体１５ａを被清掃面Ｆに接触させると、この被清掃面Ｆ上の塵埃は、回転清掃体２２の回転により後方に掻き上げらながら、電動送風機６０により形成される吸込み気流により集塵開口２８から空気とともに吸込み口体主部２０の内部に取り込まれる。
【００４２】
吸込み口体主部２０の内部に取り込まれた塵埃は、傾斜壁３２に当たり、回転清掃体２２の回転により得られた運動エネルギー及び電動送風機６０により形成される吸込み気流により、傾斜壁３２の表面に沿って円滑に移動し、集塵部２４に導かれる。更に、傾斜壁３２に誘導されて集塵カップ２４の第２連通口２４ａに運ばれた塵埃は、回転清掃体２２の回転により得られた運動エネルギー及び電動送風機６０により形成される吸込み気流により、開き位置のガイド斜壁３３に誘導されて、集塵カップ２４の奥側に入り込んで収容される。
【００４３】
集塵カップ２４を通過した空気は、電動送風機６０に吸込まれてこの電動送風機６０から排出された後、吸込み口体１５ａ通気口Ｔ（図３参照）及び操作部１０を通過して、排気口１３から外部に排出される。以上により被清掃面Ｆを清掃できる。
【００４４】
電動送風機６０の停止後、集塵カップ２４を吸込み口体主部２０から取外し、集塵カップ２４内に溜められた塵埃を廃棄することができる。この吸込み口体１５ａでは、集塵カップ２４を吸込み口体主部２０から取外し、第２連通口２４ａを下方に向けることで、ガイド斜壁３３は自重により閉じ位置に移動する。そのため、第２連通口２４ａを下方に向けても、ガイド斜壁３３が邪魔となって、集塵カップ２４内の塵埃が第２連通口２４ａから集塵部２４外に不用意に出ないようにできる。
【００４５】
上記のように、この吸込み口体１５ａによれば、傾斜壁３２と連なるように集塵カップ２４の内側に延びるガイド斜壁３３を集塵カップ２４に設けているため、傾斜壁３２に誘導されて第２連通口２４ａに運ばれた塵埃は、さらに、傾斜壁３２に連なるように集塵カップ２４の内側に延びるガイド斜壁３３に誘導されて、集塵カップ２４の奥側に入り込む。したがって、集塵カップ２４内の塵埃が第２連通口２４ａ付近に留まり難い。しかも、集塵カップ２４を取外す際等、第２連通口２４ａが下方を向いても、第２連通口２４ａを通って集塵カップ２４外に出ようとする集塵カップ２４内の集塵をガイド斜壁３３により遮ることができる。
【００４６】
したがって、この吸込み口体１５ａによれば、捕捉した塵埃が第２連通口２４ａから集塵カップ２４外に不用意に出るのを抑制できる。
【００４７】
一方、この吸込み口体１５ａによれば、捕捉した塵埃が第２連通口２４ａから集塵カップ２４外に不用意に出るのを抑制できるため、第２連通口２４ａを回転清掃体２２の長手方向中央部に対応する位置に設けるとともに、その長手方向の長さＬ２を、回転清掃体２２の長さＬ１の２分の１以上に設定することができる。このようにすることにより、集塵カップ２４の内部に塵埃が入り込み易くなり、集塵性能を向上させることができる。
【００４８】
なお、この実施形態では、吸込み口体１５ａを、電動送風機６０の動作により吸込んだ空気を排気口１３から排出するように形成しているが、吸込み口体１５ａは、電動送風機６０の動作により取り込んだ空気のうちの一部または全部を集塵開口２８と電動送風機６０との間で循環させるように形成することもできる。
【００４９】
以下、図５〜図７を参照して本発明の第２実施形態を説明する。
【００５０】
この電気掃除機１ｂは、例えばキャニスタ型のものであり、掃除機本体４０、吸込み口体１５ｂ、吸塵ホース５０、及び、延長管５２等を備えている。
【００５１】
掃除機本体４０の内部には、図示しないが送風室が設けられており、この送風室には塵埃を吸込む電動送風機４１が収容されている。なお、この送風室の吸込み上流側に位置して第２集塵部が設けられていてもよい。また、掃除機本体４０の内部には、先端部にプラグを有する電源コードを巻取り及び繰出し可能なコードリール（図示せず）が収容されている。この電気掃除機１ｂは、この電源コードを介してＡＣ電源から電力が供給される。なお、コードリールを省略してバッテリーを搭載させてもよい。
【００５２】
掃除機本体４０の外部両側面には、一対の移動車輪４３が枢支されている。この移動車輪４３及び掃除機本体４０の下面に取付けられた図示しない旋回輪により、掃除機本体４０は床面上を自在に移動できる。また、掃除機本体４０には、その前端面に開口される吸塵口部４０ａが設けられている。
【００５３】
吸塵ホース５０及び延長管５２は、掃除機本体４０と吸込み口体１５ｂとを連通するために用いられるものである。吸塵ホース５０は可撓性ホースからなり、その吸込み上流側の一端部には各種の手元操作スイッチ５１ａを有するハンドル５１が設けられている。延長管５２は、硬質な複数の管５２ａ，５３ｂを伸縮可能に組み合わせて形成されている。吸塵ホース５０及び延長管５２には、夫々その長手方向に沿う図示しない電線が配線されている。なお、この電線は吸塵ホース５０の伸縮及び可撓性を妨げない。
【００５４】
吸込み口体１５ｂは、図６に示すように、吸込み口体主部２０、回転清掃体２２、集塵部としての集塵カップ２４、連結管２６、及び、回転清掃体２２を回転駆動させるモータ６４等を備えている。すなわち、この吸込み口体１５ｂは、電動送風機６０を省略してモータ６４を備えている。このモータ６４は、回転清掃体２２を回転駆動させることができればよいため、第１実施形態のように電動送風機６０に用いられるモータよりも、トルクの小さいモータを選択することができる。
【００５５】
モータ６４の一端部には、ベルトプーリ６５ａを有する回転軸６５が設けられている。図６に示すように、この吸込み口体１５ｂでは、モータ６４の回転軸６５に取付けられたベルトプーリ６５ａと、回転軸３４に取付けられたベルトプーリ３４ａとの間にベルト３５が掛け渡されている。これにより、モータ６４の回転運動が、回転軸６５、ベルトプーリ６５ａ、ベルト３５、ベルトプーリ３４ａ、回転軸３４、ベルトプーリ３４ｂ、ベルト３６、ベルトプーリ２３ａ、回転軸２３の順で伝達されて、回転清掃体２２は回転軸２３を中心として回転する。
【００５６】
また、図７（Ａ）及び（Ｂ）に示すように、ガイド斜壁３３は、例えば、第２連通口２４ａと閉じるように取付けられて、吸込み口体１５ｂ内の負圧が大きくなると集塵カップ２４の内側に回動して第２連通口２４ａを開く例えばゴム等の弾性素材からなる板体を取付けることで設けられている。
【００５７】
このガイド斜壁３３は、吸込み口体１５ｂ内の負圧が所望の値となったときに開き位置に配置されるように、重さ調整用の肉溜りが設けられている。また、このガイド斜壁３３では、所定の値以上に開いてしまわないようにするリブ３９が設けられている。
【００５８】
なお、ガイド斜壁３３は、第１実施形態で示したように、ヒンジと、このヒンジにより取付けられて回動する開閉板とを備えて構成されるものを取付けて設けてもよく、或いは、ヒンジと、このヒンジにより取付けられて回動する開閉板と、この開閉板を閉じ位置に付勢するばねとを備えて構成されるものを取付けて設けてもよい。また、制御装置で通電が制御されるソレノイド及びこのソレノイドを介して往復移動されて第２連通口２４ａを開閉するガイド斜壁３３としてのシャッター等を備えて構成されるものを取付けて設けてもよい。
【００５９】
この電気掃除機１ｂでは、吸込み口体１５ｂの連結管２６と延長管５２の一端部、延長管５２の他端部と吸塵ホース５０の一端部、及び、吸塵ホース５０の他端部と掃除機本体４０の吸塵口部４０ａが、夫々着脱自在に連結可能である。また、これらを連結することにより、各連結位置において電線同士が電気的に接続する。なお、他の構成は上述した第１の実施形態と同じであるから、重複する説明は図５〜図７に同符号を付して省略する。
【００６０】
前記構成を備える電気掃除機１ｂでは、以下のようにして被清掃面Ｆの清掃を行なう。
【００６１】
掃除機本体４０から電源コードを引き出して商用交流電源に接続し、電動送風機４１、ハンドル５１の手元操作スイッチ５１ａ、及び、モータ６４等に夫々電力を供給する。その後、手元操作スイッチ５１ａを操作して電動送風機４１を駆動させる。
【００６２】
電動送風機４１が駆動すると、集塵開口２８、ケース部２０ａの第２収容部２１ｂ、第１連通口３１ａ、第２連通口２４ａ、集塵カップ２４、第４連通口２４ｂ、フィルタ２５、第３連通口３１ｂ、ケース部２０ａの第２収容部２１ｂ、連結管２６、延長管５２、吸塵ホース５０を通って掃除機本体４０の内部に収容されたこの電動送風機４１に吸込まれる気流が形成される。また、これにより、ガイド斜壁３３は開き位置に配置される。
【００６３】
ハンドル５１を操作して吸込み口体１５ｂを被清掃面Ｆに接触させ、吸込み口体１５ｂの集塵開口２８から被清掃面Ｆの塵を空気とともに取り込んで、吸込み口体主部２０の内部に導き、この吸込み口体主部２０の内部と連通する集塵カップ２４で塵を収容する。集塵カップ２４を通過した空気は、電動送風機４１に吸込まれてこの電動送風機４１から排出された後、吸込み口体１５ｂの通気口Ｔ（図７参照）、延長管５２、及び、吸塵ホース５０を通過して、掃除機本体４０に設けた排気口（図示せず）から外部に排出される。
【００６４】
また、回転清掃体２２は、手元操作スイッチ５１ａを操作することで適宜動作させることができる。モータ６４により回転清掃体２２を回転駆動させると、被清掃面Ｆ上の塵埃は、回転清掃体２２の回転により後方に掻き上げられるとともに、電動送風機４１により形成される吸込み気流により集塵開口２８から空気とともに吸込み口体主部２０の内部に取り込まれる。
【００６５】
吸込み口体主部２０の内部に取り込まれた塵埃は、傾斜壁３２に当たり、回転清掃体２２の回転により得られた運動エネルギー及び電動送風機４１により形成される吸込み気流により、傾斜壁３２の表面に沿って円滑に移動し、集塵部２４に導かれる。傾斜壁３２に誘導されて集塵カップ２４の第２連通口２４ａに運ばれた塵埃は、回転清掃体２２の回転により得られた運動エネルギー及び電動送風機４１により形成される吸込み気流により、開き位置のガイド斜壁３３に誘導されて、集塵カップ２４の奥側に入り込んで収容される。
【００６６】
集塵カップ２４を通過した空気は、吸込み口体主部２０、延長管５２、吸塵ホース５０を通過して、電動送風機４１に吸込まれ、この電動送風機４１から排出された後、掃除機本体４０の排気口から外部に排出される。以上により被清掃面Ｆを清掃できる。
【００６７】
また、開き位置のガイド斜壁３３は、電動送風機４１を停止させることで、弾性により閉じ位置に戻る。そのため、集塵カップ２４を吸込み口体主部２０から取外し、第２連通口２４ａを下方に向けても、集塵カップ２４内に捕捉された塵埃は、第２連通口２４ａから集塵部２４外に出ない。
【００６８】
このように、この吸込み口体１５ｂは、電動送風機４１が設けられている電気掃除機１ｂに取付けて使用することができる。
【００６９】
さらに、この実施形態では、吸込み口体１５ｂを電動送風機４１の動作により空気を吸込んでこの電動送風機４１から排出する電気掃除機に適用しているが、吸込み口体１５ｂは、電動送風機の動作により空気を吸込み、この取り込んだ空気のうちの一部または全部を再び電動送風機の動作により循環させる電気掃除機に適用することもできる。
【００７０】
上記第１及び第２の実施形態では、吸込み口体に回転清掃体を回転駆動するモータを設けているので、吸込み口体のみでの使用も可能である。すなわち、集塵開口に電動送風機による吸込力が作用しなくても、回転清掃体による掻き出し作用のみで被掃除面上の塵埃を集塵部に捕捉することができる。
【００７１】
なお、上記第１及び第２の実施形態では、吸込み口体に回転清掃体を回転駆動するモータを設けたものについて説明したが、このモータを設けずに電動送風機による吸込気流によって回転清掃体を駆動するようにしたものでもよい。
【００７２】
この発明の吸込み口体は、スティック型或いはキャニスタ型の電気掃除機だけでなく、種々の電気掃除機に取付けて使用することができる。
【００７３】
【発明の効果】
本発明によれば、捕捉した塵埃が集塵部外に出るのを抑制できる吸込み口体、及び、この吸込み口体を備えた電気掃除機が得られる。
【図面の簡単な説明】
【図１】本発明の第１実施形態に係る電気掃除機を示す斜視図。
【図２】図１の電気掃除機が備える吸込み口体を集塵カップを外して示す上面図。
【図３】図１の電気掃除機が備える吸込み口体をカバー部を外して示す上面図。
【図４】（Ａ）は図１の電気掃除機が備える吸込み口体を示す断面図。（Ｂ）は図１の電気掃除機が備える集塵カップを一部切り欠いて示す斜視図。
【図５】本発明の第２の実施形態に係る電気掃除機を示す斜視図。
【図６】図６の電気掃除機が備える吸込み口体をカバー部を外して示す上面図。
【図７】（Ａ）は図６の電気掃除機が備える吸込み口体を示す断面図。（Ｂ）は図６の電気掃除機が備える集塵カップを一部切り欠いて示す斜視図。
【符号の説明】
１ａ，１ｂ…電気掃除機
１０…操作部
１５ａ，１５ｂ…吸込み口体
２０…吸込み口体主部
２２…回転清掃体
２４…集塵部（集塵カップ）
２４ａ…第２連通口
２８…集塵開口
２８ａ…開口縁
３１ａ…第１連通口
３２…傾斜壁
３３…ガイド斜壁
６１…送風部
６２，６４…モータ
Ｆ…被清掃面
Ｌ１…回転清掃体の長さ
Ｌ２…第２連通口の長手方向の長さ
【図１】
2004057364.tif 000003
【図２】
2004057364.tif 000004
【図３】
2004057364.tif 000005
【図４】
2004057364.tif 000006
【図５】
2004057364.tif 000007
【図６】
2004057364.tif 000008
【図７】
2004057364.tif 000009